(57)【要約】【課題】  照明器具の光が設置場所周辺の環境に影響されにくくなり、照明器具の光・灯りをより楽しむことができ、安価に製造可能な照明器具用のカバー部材とこのカバー部材を用いた照明装置を提供する。【解決手段】  透明又は半透明な略円筒状のカバー本体と、カバー本体内側面に設けられた反射層とからなり、反射層は、カバー本体内側面において、周方向の半周以上反射シートを取り付けてなることを特徴とする。この反射シートの反射面が凹凸状又は波形状であっても良い。また、照明装置は、照明器具と、照明器具を取り囲む透明又は半透明な略円筒状のカバー本体とからなり、カバー本体内側面に設けられた反射層を備え、反射層は、カバー本体内側面において、周方向の半周以上反射シートを取り付けてなる。照明器具は、光源を取り囲むカバー部材を備え、カバー部材は、テフロン（登録商標）製であっても良い。また、カバー部材は、側面が蛇腹状であっても良い。【選択図】  図１
2011014480.tif 000002
【特許請求の範囲】
【請求項１】
透明又は半透明な略円筒状のカバー本体と、該カバー本体内側面に設けられた反射層とからなり、該反射層は、該カバー本体内側面において、周方向の半周以上に渡って反射シートを取り付けてなることを特徴とする照明器具用カバー部材。
【請求項２】
前記反射シートの反射面が凹凸状又は波形状であることを特徴とする請求項１に記載の照明器具用カバー部材。
【請求項３】
照明器具と、該照明器具を取り囲む透明又は半透明な略円筒状のカバー本体とからなり、該カバー本体は、内側面に反射層を備え、該反射層は、該カバー本体内側面において、周方向の半周以上に渡って反射シートを取り付けてなることを特徴とする照明装置。
【請求項４】
前記反射シートの反射面が凹凸状又は波形状であることを特徴とする請求項３に記載の照明装置。
【請求項５】
前記照明器具の光源がＬＥＤライトであることを特徴とする請求項３又は４に記載の照明装置。
【請求項６】
前記照明器具は、光源を取り囲むカバー部材を備え、該カバー部材は、テフロン（登録商標）製であることを特徴とする請求項３〜５のいずれかに記載の照明装置。
【請求項７】
前記カバー部材は、側面が蛇腹状であることを特徴とする請求項６に記載の照明装置。
【発明の詳細な説明】
【技術分野】
【０００１】
本発明は、既存の照明器具に取り付けるカバー部材と、このカバー部材を使用した照明装置に関するものである。
【背景技術】
【０００２】
室内・店内の装飾やコーディネートをする時、雰囲気を創り出すために照明を用いることが多い。その中でも、間接照明、インテリア照明、デザイン照明等（以下、間接照明類と記載する）の人気が非常に高い。これらの間接照明類は、蛍光灯等の直接照明と呼ばれる照明器具と比べ、柔らか、穏やか、温かいといった印象の光を灯すことに優れているため、空間演出、雰囲気作り、癒しやくつろぎ効果を得るために適している。また、独特なデザインや多様な装飾が施されていたり、光の灯り方、光の見せ方、光の演出に優れているものも多い。
【０００３】
また、間接照明類は、直接照明のように対象物を照射するための照明ではないため、直接照明よりも光量が抑えられていることが多い。そのため、間接照明類を使用する場合は、室内・店内を暗くするなどして、照明器具の光を際立せて使用することが多い。
【発明の開示】
【発明が解決しようとする課題】
【０００４】
しかし、上記した通り、間接照明類は光量が抑えられているため、昼間のように室内が暗くならない場合、蛍光灯等の直接照明が近くにある場合等、他光源の光量の方が強いと、間接照明類の光が消されてしまうという問題があった。そのため、間接照明類は、設置場所や周辺環境が限定されやすいという問題も有していた。また、このような問題に対し、間接照明類の光量を強くすると、柔らか、穏やか、温かいといった光や灯りにならず、間接照明類の雰囲気、印象、バランス等が崩れてしまう。
【０００５】
また、前記したように間接照明類は、独特なデザインや装飾が施されていたり、光の灯り方や演出等が制御されており、コストが高くなりやすいという問題があった。
【０００６】
以上のことから、既存の間接照明類の光が設置場所周辺の環境に影響されにくくなり、間接照明類の光・灯りをより楽しむことができ、安価に製造可能なカバー部材、又は、照明装置の開発が望まれていた。
【課題を解決するための手段】
【０００７】
上記課題を解決するために本発明に係る照明器具のカバー部材は、透明又は半透明な略円筒状のカバー本体と、カバー本体内側面に設けられた反射層とからなり、反射層は、カバー本体内側面において、周方向の半周以上反射シートを取り付けてなることを特徴とする。この反射シートの反射面が凹凸状又は波形状であっても良い。
【０００８】
また、上記課題を解決するために本発明に係る照明装置は、照明器具と、照明器具を取り囲む透明又は半透明な略円筒状のカバー本体とからなり、カバー本体内側面に設けられた反射層を備え、反射層は、カバー本体内側面において、周方向の半周以上反射シートを取り付けてなることを特徴とする。この反射シートの反射面が凹凸状又は波形状であっても良い。
【０００９】
また、照明器具は、光源がＬＥＤライトであっても良い。また、照明器具は、光源を取り囲むカバー部材を備え、カバー部材は、テフロン（登録商標）製であっても良い。また、カバー部材は、側面が蛇腹状であっても良い。
【発明の効果】
【００１０】
本発明に係る照明器具のカバー部材は、透明又は半透明な略円筒状のカバー本体と、カバー本体内側面に設けられた反射層とからなり、反射層は、カバー本体内側面の周方向の半周以上に渡って反射シートを取り付けてなるため、照明器具を取り囲むようにカバー本体を設置すれば、照明器具の光を反射させ、照明器具の光以外の多様な光を楽しむことができる。また、カバー部材及び反射層によって照明器具周辺の光を遮ることができるため、照明器具の光・灯りが他の光源にかき消されにくくなり、設置場所や周辺環境を限定せずに照明器具を楽しむことができる。
【００１１】
また、反射シートの反射面が凹凸状又は波形状であるため、照明器具の光が乱反射・拡散反射され、多様な光又は灯りを観賞することができる。
【００１２】
また、本発明に係る照明装置は、照明器具の光源がＬＥＤライトであるため、長時間安定して高輝度な光を照らすことができる。
【００１３】
また、照明器具は、光源を取り囲むカバー部材を備え、カバー部材は、テフロン（登録商標）製であるため、照明器具の光源とカバー部材との距離を近接させることができ、照明器具の小型化、省スペース化が可能となる。
【００１４】
また、カバー部材は側面が蛇腹状であるため、カバー部材を自在に伸縮又は変形させることができる。更に、カバー部材の伸縮又は変形によって蛇腹の肉厚部と肉薄部が変化するため、カバー部材の光の透過具合を変化させることができ、多様な光を楽しむことができる。
【図面の簡単な説明】
【００１５】
【図１】本発明に係る照明装置を示した説明図である。
【図２】本発明に係るカバー部材の展開図である。
【図３】本発明に係るカバー部材の一実施の形態を示す説明図である。
【図４】本発明に係るカバー部材の一実施の形態を示す説明図である。
【図５】本発明に係る照明装置の一実施の形態を示す説明図である。
【図６】本発明に係る照明装置の一実施の形態を示す説明図である。
【発明を実施するための形態】
【００１６】
本発明に係る照明器具１０のカバー部材２、照明装置８について図を参照にしながら説明する。図１、図５及び図６は、本発明に係るカバー部材２を使用した照明装置８を示した説明図である。図２は、カバー部材２の展開図であり、図３及び図４はカバー部材２の一実施の形態を示した図である。なお、これらの図は本発明を説明するためだけのものであり、本発明を何ら限定するものではない。
【００１７】
本発明に係る照明器具１０のカバー部材２は、透明又は半透明な略円筒状のカバー本体４と、カバー本体４内側面に設けられた反射層とからなることを特徴とする。
【００１８】
カバー本体４は、照明器具１０を取り囲むように設置可能な略円筒状の部材を指す。ここでの略円筒状とは、図１に示されたように側壁で囲まれた筒状体でも良いが、図４又は図６に示されたように筒状体の一部が開放されていても良い。また、必ずしも筒状である必要は無く、台形状、錐状でも良い。また、筒状体の形状とてしては、図２〜図４内では円形となっているが、楕円形、多角形や不定形でも良く、適宜設定すれば良い。
【００１９】
このカバー本体４は、透明又は半透明な材料で形成されているのが良い。具体的には、アクリル、ポリカーボネイト、塩化ビニル、ＰＥＴ等の樹脂や、ガラス等が使用可能である。図１に示されたような筒状体の場合は透明度の高い材料で形成するのが良いが、図４又は図６に示されたように一部が開放されている場合は、必ずしも透明又は半透明な材料で形成する必要は無い。また、カバー本体４の透過率の調節、光の装飾や演出を目的として、カバー本体４に何らかのフィルムやシート類を貼付したり、表面加工を施しても良い。
【００２０】
また、カバー本体４内側面に設けられる反射層は、図２に示されたように、反射シート６をカバー本体４内側面に取り付けて形成されるのが良い。反射シート６の材料としては、アクリル、ポリカーボネイト、塩化ビニル、ＰＥＴ等の樹脂製シート部材の一方又は両面に反射シート又は反射シールを貼付して形成するのが良い。この他にも、段ボール、布、紙、金属製のシート部材に反射シート６又は反射シールを貼付しても良い。また、金属製のシート部材を使用した場合は、一方の面又は両面を鏡面加工して反射面としても良い。また、反射シート６は、予めカバー本体４内側面の形状に合わせて変形不能に成形しても良いが、自在に変形可能であっても良い。また、反射面は、一般的な鏡のような高反射率を有していても良いし、照明器具１０の光が若干反射する程度の低反射率でも良く、反射面の反射率は適宜設定すれば良い。また、この反射面は、半反射面でも良い。また、反射面と対向する面や、反射シート内部を不透過処理や不透過加工を施しても良い。
【００２１】
また、反射シート６の反射面は、凹凸状又は波形状であるのが良い（図示せず）。この凹凸や波形は、反射シート６の表面に予め形成しても良いが、反射シート６を弛ませたり、歪ませたりして形成しても良い。その他にも、例えば、反射面にホログラムシート等のシートやシール等を貼付しても良いし、反射面を不規則に分割しても良く、照明器具１０の光を乱反射・拡散反射させるような加工、処理を反射面に施しても良い。
【００２２】
また、反射シート６は、カバー本体４と一体化されていても良いし、着脱自在に取り付けられても良い。反射シート６を着脱自在に取り付ける場合は、フック、磁石、マジックテープ（登録商標）等の着脱が自在で、取り付け状態を保持可能な手段や部材等を用いるのが良い。反射シート６とカバー本体４が着脱自在の場合、反射率、反射の仕方等がそれぞれ異なる反射シート６を複数用意すれば、反射シート６を自在に取り替えて、様々な照明器具１０の光や灯りを楽しむことができる。
【００２３】
また、反射シート６は、カバー本体４内側面の周方向の半周以上に渡って取り付けられるのが良い。カバー本体４内側面に取り付ける反射シート６の幅が短すぎる場合、照明器具１０の光が良好に反射されなかったり、カバー本体４外からの光が差し込んで照明器具１０の光が消されるおそれがある。そこで、反射シート６をカバー本体４内側面の周方向の半周以上に渡って取り付けることで、照明器具１０の光を良好に反射させようとするものである。なお、カバー本体４内側面の周方向の半周以上に渡って反射シート６を取り付けるとしているが、これはカバー本体４を全方位が側壁で囲まれた筒状体とした場合における周方向の半周以上に渡ってという意味である。従って、カバー本体４が半円形筒状体の場合は、周方向の全周に渡って反射シート６を取り付ける必要がある。また、カバー本体４が図１又は図５に示されたように完全な筒状体の場合は、反射シート６を図示されたように一部解放して取り付けるのが良い。また、図１中では、カバー本体４と反射シート６の高さが一致しているが、図５に示されたようにカバー本体４の上方及び／又は下方を開放しても良く、反射シート６の高さ及び設置位置は適宜設定すれば良い。
【００２４】
次に、上記のカバー部材２を使用した照明装置８について説明する。本発明に係る照明装置８は、照明器具１０と、照明器具１０を取り囲む透明又は半透明な略円筒状のカバー本体４とからなることを特徴とする。カバー本体４については、上記説明と同一であるため省略する。この照明装置８は、照明器具１０とカバー本体４が一体形成されていても良いし、分離可能であっても良い。
【００２５】
本発明に係る照明器具１０としては、蛍光灯、白熱灯、ＬＥＤ等の一般的に照明器具として用いられている光源を使用すれば良いが、その他の光源も使用可能であり、適宜設定すれば良い。また、複数種類の光源を組み合わせて使用しても良い。また、照明器具１０は、光源を取り囲む照明カバー１２を備えているのが良い。照明カバー１２は、図１又は図５に示されたように、光源の全てを包み込む形状でも良いが、図６に示されたように、一部が開放されていても良く、照明カバー１２の形状については適宜設定すれば良い。また、照明カバー１２の材料については、一般的に販売されているものと同じものを使用すれば良いが、テフロン（登録商標）製であると更に良い。テフロン（登録商標）は、劣化開始温度が約２６０℃と高く、耐熱性に優れているため、照明カバー１２を光源近傍に設置することができ、照明器具１０の小型化、省スペース化が可能となる。更に、従来では使用出来なかった、高熱を発する電球や電灯の使用が可能となるため、新しい光の見せ方、灯り方、光の演出等が可能となる。
【００２６】
また、図１又は図５に示されたように、照明カバー１２の側面が蛇腹状であっても良い。これにより、照明カバー１２の長さや形状を任意に変更させることができる。また、蛇腹部を伸縮・変形させると、照明カバー１２の肉厚部や肉薄部が変化し、照明カバー１２の透過具合が変化するため、同じ照明器具１０でも光の強弱や灯り方を変化させて楽しむことができる。
【００２７】
以上が本発明に係る照明器具用カバー部材２とこのカバー部材２を使用した照明装置８についての説明であるが、本発明の目的を逸脱しない限り、種々の条件や設定は変更が可能である。
【符号の説明】
【００２８】
２    カバー部材
４    カバー本体
６    反射シート
８    照明装置
１０    照明器具
１２    照明カバー
【図１】
2011014480.tif 000003
【図２】
2011014480.tif 000004
【図３】
2011014480.tif 000005
【図４】
2011014480.tif 000006
【図５】
2011014480.tif 000007
【図６】
2011014480.tif 000008